(57)【要約】【課題】表示エリアの境界部分における表示の「ぼやけ」の発生を防止し、明瞭化した情報表示用パネルを提供する。【解決手段】少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、異なる表示エリア同士の境界に位置する前記隔壁を挟んで、その前後に少なくとも１つずつのセルを含んで絶縁性で有色のエリア境界ラインが設定され、当該エリア境界ラインが前記パネル基板の内側に設けてある。【選択図】図５
2010204481.tif 000002
【特許請求の範囲】
【請求項１】
少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、
異なる表示エリア同士の境界に位置する前記隔壁を挟んで、その前後に少なくとも１つずつのセルを含んで絶縁性で有色のエリア境界ラインが設定され、当該エリア境界ラインが前記パネル基板の内側に設けてある、ことを特徴とする情報表示用パネル。
【請求項２】
少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、
異なる表示エリア同士の境界に位置するセル１列およびその両側の隔壁を含んで絶縁性で有色のエリア境界ラインが設定され、当該エリア境界ラインが前記パネル基板の内側に設けてある、ことを特徴とする情報表示用パネル。
【請求項３】
前記２枚のパネル基板双方の情報表示画面エリアに、２枚のパネル基板を対向させたときに画素を構成する電極が形成されていることを特徴とする請求項１または２に記載の情報表示用パネル。
【請求項４】
前記２枚のパネル基板双方の情報表示画面エリアに形成した電極がともにストライプ電極であって、このストライプ電極を互いに直交交差させて形成した画素電極対をマトリックス配置して、前記表示媒体をドットマトリックス方式でパッシブ駆動させるように構成した、ことを特徴とする請求項１〜３のいずれか１項に記載の情報表示用パネル。
【請求項５】
前記２枚のパネル基板双方の情報表示画面エリアに形成した電極が共通電極および薄膜トランジスタ（ＴＦＴ）付き画素電極であって、観察側パネル基板に設けた共通電極と、背面側パネル基板に設けた薄膜トランジスタ（ＴＦＴ）付き画素電極とを対向させて形成した画素電極対をマトリックス配置して、前記表示媒体をドットマトリックス方式でアクティブ駆動させるように構成した、ことを特徴とする請求項１〜３のいずれか１項に記載の情報表示用パネル。
【請求項６】
前記エリア境界ラインは、観察側パネル基板の内側に配置した絶縁性の有色膜によって形成してある、ことを特徴とする請求項１〜５のいずれか１項に記載の情報表示用パネル。
【請求項７】
前記エリア境界ラインは、当該位置のセル内に絶縁性の有色接着剤を充填することによって形成してある、ことを特徴とする請求項１〜５のいずれか１項に記載の情報表示用パネル。
【請求項８】
表示エリアに対応した開口部とマスク部とを有するマスクを、表示媒体とする粒子群ごとに順次取り替えて、パネル基板に形成された隔壁上に接するように載せて、そのマスクの上方から充填したい、表示媒体とする粒子群を落下させて、パネル基板上のセル内に、前記表示媒体とする粒子群を配置するとともにエリア境界部分にエリア境界ラインを設けて請求項１〜７のいずれかに記載の情報表示用パネルを得るための製造方法であって、
前記マスクをパネル基板上の隔壁に載せるとき、当該マスクの開口部とマスク部との境界エッジ部が、前記エリア境界ラインのライン幅内に存在するように調整して表示媒体とする粒子群の充填を行う、ことを特徴とする情報表示用パネルの製造方法。
【発明の詳細な説明】
【技術分野】
【０００１】
本発明は、少なくとも一方が透明な対向する２枚の基板間に、異なる表示色のカラー粒子を表示媒体として封入してカラー表示する情報表示用パネルに関し、特に表示画面を複数の領域（エリア）に区分し、このエリア毎に表示色を変化させて画像等の情報を表示可能とした情報表示用パネル、およびその製造方法に関するものである。
【背景技術】
【０００２】
従来、少なくとも一方が透明な対向する２枚の基板間に、異なる表示色のカラー粒子を表示媒体として封入し、表示画面のエリアによって表示色を変化させて画像等の情報をカラー表示する情報表示用パネルが知られている（例えば、特許文献１参照）。この種のエリア別カラー表示を行う情報表示用パネルでは、表示画面を区分したエリア別に、基板間の隔壁により形成されたセル内に、異なる表示色のカラー粒子を表示媒体として少なくとも３種類配置する必要がある。一例として、図２０を参照して、赤色、黒色、白色のカラー粒子群をセル内に充填する従来の粒子充填方法について説明する。
【０００３】
図２０に示す例においては、基板５１上に隔壁５２により形成したセル５３内に、所定の組み合わせで赤色粒子群、黒色粒子群、白色粒子群を充填する例を示している。ここでは、赤白表示を行う右側の表示エリアが赤白表示エリア５５ＲＷとされ、黒白表示を行う左側の表示エリアが黒白表示エリア５５ＢＷとされている。そして、中央の隔壁５２ｃが、２つの赤白エリアと黒白エリアとの境界ラインとなっている。
【０００４】
各色粒子群を充填する様子を順に説明すると、まず、図２０（ａ）に示すように、基板５１の隔壁５２上において、黒白表示エリア５５ＢＷに対応した開口部５６ａを有するマスク５６をセットする。そして、その状態で、従来から公知の撒布法などにより黒色粒子群５４Ｂａを上方から落下させマスク５６の開口部５６ａを介してセル５３内に充填する。次に、図２０（ｂ）に示すように、同様に赤白表示エリア５５ＲＷに対応した開口部５６ａを有するマスク５６をセットする。そして、その状態で、赤色粒子５４Ｒａを開口部５６ａを介してセル５３内に充填する。そして、図示は省略するが、表示画面領域全体に白色粒子（白色表示媒体）５４Ｗａを、すでに充填された黒色粒子群（黒色表示媒体）５４Ｂａおよび赤色粒子群（赤色表示媒体）５４Ｒａに重ねて充填することで情報表示用パネルが製造される。
【０００５】
図２１は、図２０と同様に、赤白表示エリア５５ＲＷと黒白表示エリア５５ＢＷとの表示エリアが設定された粒子充填方法を示している。マスク５６の配置状態により、図２０は境界となる隔壁５２ｃを越えて粒子が反対側に落ちてしまう場合、図２１は粒子の充填量が不足する場合を示している。
【先行技術文献】
【特許文献】
【０００６】
【特許文献１】特開２００８−５８４７４号公報
【発明の概要】
【発明が解決しようとする課題】
【０００７】
上述した従来の粒子の充填方法では、マスク５６と隔壁５２で形成されたセル５３との位置合わせの精度やマスク精度が非常に重要である。しかし、これらの精度を高めることには限界もあり、精度が不足していると表示エリアの境界ラインとなる隔壁５２ｃにおいて仕切り、これに隣接するセル５３に所定色の粒子群を封入し分けることが困難である場合があった。
その結果、反対側のパネル基板５７を接着して情報表示用パネルを完成させたときに、図２２（ｃ）で示すように、表示エリアの境界ラインとなる隔壁５２ｃの前後で赤色粒子群５４Ｒ、黒色粒子群５４Ｂおよび白色粒子５４Ｗａが各セル内に正確に封入されていることが期待されるが、実際には図２２（ａ）に示すように、マスク部と表示画面のエリア別カラー表示領域の境界ラインに位置する隔壁５２ｃとの隙間から、充填したくないカラーの粒子が、隔壁５２ｃを越えて隣のセルに入り込んでしまったり、粒子充填後にマスクを取り外す際にマスクから落ちた粒子がマスク部下にあるセルに入り込んでしまったりして、隔壁５２ｃを挟んで両側に隣接するセル５３に赤色粒子群５４Ｒａと黒色粒子群５４Ｂａとが混在することがあった。また、図２２（ｂ）に示すように、マスクを配置するときにマスク部が、表示画面のエリア別カラー表示領域の境界ラインに位置する隔壁５２ｃを越えてしまうことがあり、充填したいカラーの粒子が、隔壁５２ｃを越えているマスク部のために隔壁５２ｃの隣のセルに所定量充填できないために、隔壁５２ｃを挟んで両側に隣接するセル５３に赤色粒子５４Ｒａと黒色粒子５４Ｂａとが所定量より不足した状態となることがあった。
【０００８】
上記のように表示媒体とする粒子群が適正に封入されなかった情報表示用パネルで表示を行うと、赤色粒子群と黒色粒子群とが混在する部分、さらに両方の粒子群が充填量不足となった部分において、赤白表示エリア５５ＲＷと黒白表示エリア５５ＢＷとの境界部が「ぼやけ」が発生して不明瞭になるという問題が生じる。
【０００９】
本発明の目的は、上述した問題点を解消して、表示色を変えて情報表示を行う表示エリアが２エリア以上設定してある情報表示用パネルにおいて、表示エリアの境界部分における表示の「ぼやけ」を防止し、明瞭化した情報表示用パネルを提供しようとするものである。また、合わせて、その好ましい製造方法を提案するものである。
【課題を解決するための手段】
【００１０】
上記目的は、少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、異なる表示エリア同士の境界に位置する前記隔壁を挟んで、その前後に少なくとも１つずつのセルを含んで絶縁性で有色のエリア境界ラインが設定され、当該エリア境界ラインが前記パネル基板の内側に設けてある、ことを特徴とする情報表示用パネルにより達成される。
【００１１】
上記目的は、少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、異なる表示エリア同士の境界に位置するセル１列およびその両側の隔壁を含んで絶縁性で有色のエリア境界ラインが設定され、当該エリア境界ラインが前記パネル基板の内側に設けてある、ことを特徴とする情報表示用パネルによっても達成される。
【００１２】
上記目的は、少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、異なる表示エリア同士の境界に位置する前記隔壁を挟んで、その前後に少なくとも１つずつのセルを含んで絶縁性で有色のエリア境界ラインが設定され、当該エリア境界ラインが前記パネル基板の内側に設けてあり、前記２枚のパネル基板双方の情報表示画面エリアに、２枚のパネル基板を対向させたときに画素を構成する電極が形成されていることを特徴とする情報表示用パネルによっても達成される。
【００１３】
また、上記目的は、少なくとも光学的反射率および帯電性を有する粒子を含んだ粒子群として構成した、少なくとも光学的反射率および帯電特性が互いに異なる、少なくとも２種類の表示媒体を、２枚のパネル基板の対向空間に隔壁で囲んで形成した複数のセルのそれぞれに配置し、情報表示画面エリアを少なくとも２エリアに区分した各表示エリアごとに同種類の表示媒体が配置されたセルを集めて構成した、表示エリア別に異なる表示色で情報を表示する情報表示用パネルにおいて、異なる表示エリア同士の境界に位置するセル１列およびその両側の隔壁を含んで絶縁性で有色のエリア境界ラインが設定され、当該エリア境界ラインが前記パネル基板の内側に設けてあり、前記２枚のパネル基板双方の情報表示画面エリアに、２枚のパネル基板を対向させたときに画素を構成する電極が形成されていることを特徴とする情報表示用パネルによっても達成される。
【００１４】
また、前記２枚のパネル基板双方の情報表示画面エリアに形成した電極がともにストライプ電極であって、このストライプ電極を互いに直交交差させて形成した画素電極対をマトリックス配置して、前記表示媒体をドットマトリックス方式でパッシブ駆動させるように構成したものを採用できる。
【００１５】
また、前記２枚のパネル基板双方の情報表示画面エリアに形成した電極が共通電極および薄膜トランジスタ（ＴＦＴ）付き画素電極であって、観察側パネル基板に設けた共通電極と、背面側パネル基板に設けた薄膜トランジスタ（ＴＦＴ）付き画素電極とを対向させて形成した画素電極対をマトリックス配置して、前記表示媒体をドットマトリックス方式でアクティブ駆動させるように構成したものを採用できる。
【００１６】
そして、前記エリア境界ラインは、観察側パネル基板の内側に配置した絶縁性の有色膜によって形成することができる。
【００１７】
また、前記エリア境界ラインは、当該位置のセル内に絶縁性の有色接着剤を充填することによって形成してもよい。
【００１８】
さらに、表示エリアに対応した開口部とマスク部とを有するマスクを、表示媒体とする粒子群ごとに順次取り替えて、パネル基板に形成された隔壁上に接するように載せて、そのマスクの上方から充填したい、表示媒体とする粒子群を落下させて、パネル基板上のセル内に、前記表示媒体とする粒子群を配置するとともにエリア境界部分にエリア境界ラインを設けて上記請求項のいずれかに記載の情報表示用パネルを得るための製造方法であって、前記マスクをパネル基板上の隔壁に載せるとき、当該マスクの開口部とマスク部との境界エッジ部が、前記エリア境界ラインのライン幅内に存在するように調整して表示媒体とする粒子群の充填を行うことが好ましい。
【発明の効果】
【００１９】
本発明によれば、異なる表示エリア同士の境界に位置する前記隔壁を挟んで、その前後に少なくとも１つずつのセルを含んで絶縁性で有色のエリア境界ラインが設定され、当該エリア境界ラインが前記パネル基板の内側に設けてある構造としてあるので、また、異なる表示エリア同士の境界に位置するセル１列およびその両側の隔壁を含んで絶縁性で有色のエリア境界ラインが設定され、当該エリア境界ラインが前記パネル基板の内側に設けてある構造としてあるので、仮に表示エリアの境界に位置する隔壁の前後のセル、または、表示エリアの境界に位置するセルに前述した混色等の事態が発生しても、有色のエリア境界ラインにより混色等による「ぼやけ」を遮蔽して明瞭な境界ラインを設定できる。また、このエリア境界ラインを絶縁性とすることで情報表示画像領域のパネル基板に電極が設けられた構造の情報表示用パネルであっても電極間や配線間の短絡（ショート）を防止できるので、パネル基板の内側に配備して外観をすっきり、綺麗にすることができる。よって、本発明を採用すると、エリア別カラー表示を行う情報表示用パネルにおいて表示エリアごとの境界部分における表示の「ぼやけ」の発生を防止し、互いに異なる色を表示する表示エリアそれぞれの境界を明確にした情報表示用パネルを得ることができる。
【図面の簡単な説明】
【００２０】
【図１】（ａ）、（ｂ）は本発明の対象となる情報表示用パネルの原理的構成を説明するために示した図である。
【図２】（ａ）、（ｂ）は本発明の対象となる情報表示用パネルの他の原理的構成を説明するために示した図である。
【図３】（ａ）、（ｂ）は情報表示用パネルを外部に配置した電界形成手段で表示書換えを行う場合の一例を示した図である。
【図４】（ａ）〜（ｄ）はそれぞれ本発明の情報表示用パネルにおける駆動方式と表示方式を説明するための図である。
【図５】情報表示用パネルの一例の構成を説明するための図であり、（ａ）及び（ｂ）は情報表示用パネルを電子棚札として採用した場合、（ｃ）は情報表示用パネルを電子ＰＯＰとして採用した場合について示している図である。
【図６】図２で説明したと同様にパッシブ駆動でドットマトリックス表示をする構造を備える情報表示用パネルでエリア境界ラインを設定した実施例を示している図である。
【図７】背面側のパネル基板にＴＦＴ付きの電極を配備してアクティブ駆動するようにした情報表示用パネルでエリア境界ラインを設定した実施例を示している図である。
【図８】パッシブ駆動駆動するようにした実施例の情報表示用パネルで、エリア境界ラインを直線状や環状とした実施例を示している図である。
【図９】表示エリア同士のエリア境界に位置するセル１列およびその両側の隔壁によってエリア境界ラインを設定した実施例の情報表示用パネルについて示している図である。
【図１０】エリア境界ラインを有色で絶縁性の遮蔽膜で設定した実施例の情報表示用パネルについて示している図である。
【図１１】表示エリアの境界に位置するセルが中心となるエリア境界ラインを有色で絶縁性の遮蔽膜で設定した実施例の情報表示用パネルについて示している図である。
【図１２】（ａ）〜（ｄ）は、実施例の製造法を実施する前提となる問題の状態を指摘している図である。
【図１３】混色が生じるエリア境界ラインに絶縁性で有色の接着剤を充填して情報表示用パネルを製造する様子を示している図である。
【図１４】充填不良が生じるエリア境界ラインに絶縁性で有色の接着剤を充填して情報表示用パネルを製造する様子を示している図である。
【図１５】混色が生じるエリア境界ラインに絶縁性で有色の遮蔽膜を充填して情報表示用パネルを製造する様子を示している図である。
【図１６】ＴＦＴ付きのアクティブタイプの情報表示用パネルで、混色が生じるエリア境界ラインに絶縁性で有色の遮蔽膜を配置して情報表示用パネルを製造する様子を示している図である。
【図１７】（ａ）〜（ｄ）は、実施例の製造法を実施する前提となる問題の状態を指摘している図である。
【図１８】充填不良が生じるエリア境界ラインに位置するセルに絶縁性で有色の接着剤を充填して情報表示用パネルを製造する様子を示している図である。
【図１９】充填不良が生じるエリア境界ラインに位置するセルに絶縁性で有色の遮蔽膜を配置して情報表示用パネルを製造する様子を示している図である。
【図２０】（ａ）、（ｂ）は従来の情報表示用パネルにおける粒子充填方法の一例を説明するための図である。
【図２１】（ａ）、（ｂ）は他の従来の情報表示用パネルにおける粒子充填方法の一例を説明するための図である。
【図２２】従来の情報表示用パネルにおける問題点を説明するための図である。
【発明を実施するための形態】
【００２１】
以下、本発明に係る一実施形態の情報表示用パネルを、図面に基づき詳細に説明する。
＜本発明の情報表示用パネルの一例となる帯電粒子移動方式の情報表示用パネルの基本的な構成について＞
本発明の理解を容易とするため、帯電性粒子を含んだ粒子群として構成した表示媒体を採用し、この表示媒体を移動して文字、画像等の情報を表示する情報表示用パネルの概略構成を説明する。この情報表示用パネルは、対向する２枚の基板間の空間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が均一に移動し、かつ、繰り返し表示情報を書き換える時、或いは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００２２】
本発明の対象となる情報表示用パネルの例を、図１（ａ）、（ｂ）、図２（ａ）、（ｂ）、及び図３（ａ）、（ｂ）を参照して説明する。
図１（ａ）、（ｂ）に示す例は、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と透明な基板２に設けた透明電極６（共通電極）とで形成する電極対の間に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を白黒のドットでマトリックス表示することができる。このようにマトリックス状に画素が構成され、共通電極６とＴＦＴ付き画素電極５によるアクティブ駆動によりドットマトリックス表示をする。なお、図１（ａ）、（ｂ）においては、手前にある隔壁は省略している。各電極５、６は、基板１、２の内側に設ける。図１には、セルと画素（ドット）とを１対１に対応させた例を示したが、セルと画素（ドット）とを１対１に対応させなくてもよい。
【００２３】
また、図２（ａ）、（ｂ）に示す例では、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ストライプ電極）と透明な基板２に設けた透明電極６（ストライプ電極）とが対向し直交交差に形成する画素電極対の間に電圧を印加することにより発生する電界に応じて、基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を白黒のドットでマトリックス表示している。このようにマトリックス状に画素が構成され、観察側の透明なストライプ電極６と背面側のストライプ電極５とでパッシブ駆動でドットマトリックス表示をする。なお、図２（ａ）、（ｂ）において、手前にある隔壁は省略している。各電極５、６は、基板１、２の内側に設ける。図１には、セルと画素（ドット）とを１対１に対応させた例を示したが、セルと画素（ドット）とを１対１に対応させなくてもよい。
【００２４】
更に、図３は情報表示用パネルを外部に配置した電界形成手段で表示書換えを行う場合の一例を示しており、（ａ）は情報表示用パネルを上下対向する画素電極対ＥＬ１、ＥＬ２の間に挿入して白地画面に情報を書き入れる様子を示している。また、（ｂ）は書込み器電極ＥＬ３（電子ペンなど）と表示用パネルの背面側電極（導電膜）で電界形成する構成で白地画面に情報を書き入れる様子を示している。
【００２５】
本発明の情報表示用パネルの駆動方法は、上記のようにパッシブ駆動方式およびアクティブ駆動方式あるいは外部電界形式手段と協働した駆動方式のいずれでもよい。パッシブ駆動の場合には、ストライプ電極を形成した２枚の基板を、ストライプ電極が交差するように対向させた電極の重なり部分で画素（ドット）を構成する。直交交差するように対向させて正方形あるいは長方形ドットを形成すればよい。アクティブ駆動の場合には、ＴＦＴ付きの画素電極を制御する。
【００２６】
さらに、図４（ａ）〜（ｄ）はそれぞれ本発明の情報表示用パネルに適用できるパッシブ駆動ドットマトリックス表示方式およびアクティブ駆動ドットマトリックス表示方式を説明するための図である。図４（ａ）に示す例では、直交するストライプ電極５、６を用いてパッシブ駆動を行うドットマトリックス表示方式の表示パネルにおける画素（ピクセルということもあるし、ドットということもある）配置の例を示している。図４（ｂ）に示す例では、同じくパッシブ駆動を行うドットマトリックス表示方式のパネルにおいて、例えば白赤ドットマトリックス表示の表示領域１と例えば白黒ドットマトリックス表示の領域２との２つの表示エリアを含むエリアカラー表示の例を示している。図４（ｃ）に示す例では、共通電極６とＴＦＴ付き画素用電極５とが対向して形成する各対電極を用いてアクティブ駆動を行うドットマトリックス表示方式の表示パネルにおける画素（ピクセルということもあるし、ドットということもある）配置の例を示している。図４（ｄ）に示す例では、同じくアクティブ駆動を行うドットマトリックス表示方式の表示パネルにおいて、例えば黄赤ドットマトリックス表示の表示領域１と例えば黄黒ドットマトリックス表示の表示領域２とからなるエリアカラー表示の例を示している。
【００２７】
＜本発明の情報表示用パネルおよびその製造方法の特徴について＞
更に、図５〜図１１を参照して、本発明の一実施形態に係る３種類のカラー粒子による情報表示用パネルおよびその製造方法の特徴について説明する。なお、ここで説明する例においては、必要な場合には先に示した図１及び図２に示す部材と同一の部材には同一の符号を付して説明する。また、以下の実施例において、２２Ｗａは負帯電性白色粒子、２２Ｂａは正帯電性黒色粒子、２２Ｒａは正帯電性赤色粒子を示し、赤白表示エリア２２ＲＷ内のセルには白色粒子群（白色表示媒体）２２Ｗと赤色粒子群（赤色表示媒体）２２Ｒとが充填され、黒白表示エリア２２ＢＷ内のセルには白色粒子群２２Ｗと黒色粒子群（黒色表示媒体）２２Ｂとが充填されている。
【００２８】
図５は情報表示用パネルを用いた一例の構成を説明するための図であり、（ａ）及び（ｂ）は情報表示用パネルを電子棚札として採用した場合、（ｃ）は情報表示用パネルを電子ＰＯＰとして採用した場合について示している。
図５に示す例において、本発明の情報表示用パネル２１は、図１及び図２に示した構造の情報表示用パネルに基づいて構成され、（ａ）で「１本１４０円」、（ｂ）で「１本１４０円  ５本６００円」の文字を赤白表示で行う赤白表示エリア２２ＲＷと、「沖縄県産  ゴーヤ・・・」の文字を黒白表示で行う黒白表示エリア２２ＢＷとから構成されている。そして、これら赤白表示エリア２２ＲＷと黒白表示エリア２２ＢＷとの間が、エリア境界ライン２３とされている。この境界部２３は前述したように表示エリアの境界に位置している隔壁を挟み、その前後に少なくとも１つずつのセルを含んで絶縁性で有色の材料をパネル基板の内側に設けるか、あるいは表示エリアの境界に位置する１列分のセルに対応する位置においてパネル基板の内側に設けることにより、従来の隔壁だけによる場合と比較して幅広の境界ラインを形成したものである。
【００２９】
なお、上記エリア境界ライン２３の幅２３Ｗについては特に限定しないが、例えば、２枚の基板間に隔壁により形成されたセルの幅の１〜５個分に対応する幅であることが好ましい。ここで、エリア境界ライン２３の幅２３Ｗが、セルの幅の１個分未満であると境界を明確にする効果が弱く、その一方でセルの幅の５個分を超えるとエリア境界ライン２３が強調され過ぎの傾向がある。
【００３０】
また、図５（ｃ）は情報表示用パネル２１により電子ＰＯＰを形成した場合であり、この場合はエリア境界ライン２３が中央に枠状に設定してある。そして、内側を赤白表示エリア２２ＲＷ、外側を黒白表示エリア２２ＢＷとしてある。この図５（ａ）〜（ｃ）で例示するように、任意設定する２つ以上の表示エリアの境界ラインに応じて、エリア境界ライン２３は直線状、Ｌ字状、階段状、枠状など適宜に設定できる。
【００３１】
エリア境界ライン２３は、少なくとも観察側から見たときに、赤白表示エリア２２ＲＷと黒白表示エリア２２ＢＷとの境界を明瞭化する境界ラインとして機能する構造が実現されていればよいが、例えば以下に述べる構造を好適に採用することができる。
【００３２】
図６は、図２で説明したと同様にパッシブ駆動でドットマトリックス表示をする構造を備える情報表示用パネルでエリア境界ライン２３を設定した実施例を示している図である。なお、図６で（ａ）は図１、図２と同様に情報表示用パネル構成を示した図であり、（ｂ）は電極５、６と赤白表示エリア２２ＲＷおよび黒白表示エリア２２ＢＷの様子を示した平面図、また（ｃ）はセル７と赤白表示エリア２２ＲＷおよび黒白表示エリア２２ＢＷの様子を示した平面図である。
図６（ａ）で、右側に赤白表示エリア２２ＲＷ、左側に黒白表示エリア２２ＢＷが設定してある。よって、中央の隔壁４ｃが２つの表示エリアの境界に位置する隔壁となっている。そして、ここでは、観察側となるパネル基板６の内側の共通電極６上で、隔壁４ｃを挟んで両側となる領域（エリア境界ライン２３）にあるセル７内には、絶縁性で有色の接着剤１９を充填してある。ここでは、隔壁４ｃを挟んで前後に１つずつセル７を例示しているが、２つずつ、或いは３つずつとしもよい。
なお、図６で示す構造は接着剤９を介して観察側のパネル基板２を固定して情報表示用パネルが製造されている。ここで、使用する接着剤９は、有色であっても、無色であってもよい。
【００３３】
図７は、背面側のパネル基板５にＴＦＴ付きの電極５を配備してアクティブ駆動するようにした実施例の情報表示用パネルで、（ａ）は図１、図２と同様に情報表示用パネル構成を示した図であり、（ｂ）は共通電極付きの表示側透明基板６並びに、セル７と赤白表示エリア２２ＲＷおよび黒白表示エリア２２ＢＷの様子を示した平面図である。他の構成は、図６と同様である。
【００３４】
図８は、図６と同様にパッシブ駆動駆動するようにした実施例の情報表示用パネルで、（ａ）は図１、図２と同様に情報表示用パネル構成を示した図であり、（ｂ）および（ｃ）は電極５、６と赤白表示エリア２２ＲＷおよび黒白表示エリア２２ＢＷの様子を示した平面図である。図８（ｂ）、（ｃ）で示すように、設計した赤白表示エリア２２ＲＷと黒白表示エリア２２ＢＷとの配置に応じてエリア境界ライン２３は直線状や環状などに適宜に設定することもできる。
【００３５】
次に、図９は、表示エリア同士のエリア境界に位置するセル１列（７ＢＬ）およびその両側の隔壁４−１、４−２によってエリア境界ライン２３を構成した実施例の情報表示用パネルで、（ａ）は図１、図２と同様に情報表示用パネル構成を示した図であり、（ｂ）は共通電極付きの表示側透明基板６並びに、セル７と赤白表示エリア２２ＲＷおよび黒白表示エリア２２ＢＷの様子を示した平面図である。
この図９で示す情報表示用パネルは、上記した実施例の場合は異なり、エリア境界に位置する1列のセル７ＢＬに絶縁性で有色の接着剤１９を充填し、その前後の隔壁４−１、４−２によりエリア境界ライン２３としてある。なお、この図９の情報表示用パネルは背面側のパネル基板５にＴＦＴ付きの電極５を配備してアクティブ駆動タイプで例示してあるが、パッシブ駆動タイプの場合も同様に構成できる。
【００３６】
更に、図１０および図１１で示す実施例の情報表示用パネルは、セル内に接着剤を充填する代わりに、観察側となるパネル基板６の内側の共通電極６上に有色で絶縁性の遮蔽膜（以下、絶縁有色ライン８、と称す）を設ける構造を示している。
ここで、図１０で示す実施例の情報表示用パネルは、隔壁４ｃを挟んで両側のセル７に対応する領域（エリア境界ライン２３）に有色で絶縁性の遮蔽膜（以下、絶縁有色ライン８、と称す）を配備した場合を、図６と同様に示している。
また、図１１で示す実施例の情報表示用パネルは、図９に関連する構成で、エリア境界に位置する1列のセル７ＢＬに絶縁性で有色の絶縁有色ライン８がパネル基板６の内側に配置され、その前後の隔壁４−１、４−２によりエリア境界ライン２３としてある。
【００３７】
上記のような絶縁有色ライン８は従来の印刷技術を応用して形成できる。絶縁有色ライン８は、フレキソ印刷やインクジェット印刷、グラビア印刷等の印刷で形成することができる。また、インク溶媒としては水や有機溶媒を用いることができるが、水を溶媒とした場合には、硬化後の膜に水分が残ると絶縁不良の不具合を起こす虞があるので水分を完全に除去することが肝要となる。
【００３８】
そして、絶縁有色ライン８の主成分材料は、アクリル系樹脂、メタクリル系樹脂、エポキシ系樹脂、ポリエチレン樹脂、ポリプロピレン樹脂、シリコーン樹脂、ポリオレフィン樹脂、ポリスチレン樹脂、ポリエチレンテレフタレート樹脂などの高分子材料に非導電性顔料を配合したものが好ましい。黒色顔料としてはカーボンブラックを用いることができるが、この場合できるだけ導電性の小さいカーボンブラックを用いたり、非導電化処理を施したカーボンブラックを用いることが好ましい。
更に、絶縁有色ライン８を硬化させる硬化剤として、適宜に光硬化剤や熱硬化剤を用いてもよく、それぞれ単独で用いたり、それぞれ複数種類を用いたり、両者を併用したりすることができる。
【００３９】
また、上記絶縁有色ラインの絶縁性は、体積固有抵抗値で、１×１０９〜１×１０１４Ω・ｃｍの範囲が好ましい。体積固有抵抗値が１×１０９Ω・ｃｍより小さいと絶縁性の不足で隣接電極間でリークを起こす虞があり、体積固有抵抗値が１×１０１４Ω・ｃｍより大きいと絶縁破壊を起こす虞があるので好ましくない。なお、上記接着剤１９としては、ここで説明した絶縁有色ライン用の材料を同様に採用できる。
【００４０】
以上、図５〜図１１で説明した構成を備えた情報表示用パネルは、境界に位置する隔壁４ｃの前後（両側）のセル７、７、或いは表示エリアの境界に位置するセル７ＢＬに前述したようなカラー粒子の混在、充填不足などを原因として「ぼやけ」が発生したような場合であっても、その不都合部分が絶縁有色ライン８により遮蔽されると共に、その色（好ましくは黒色）によりエリア境界が明確化される。よって、表示エリアの境界部の「ぼやけ」を予防して表示画像をシャープに表現したエリアカラー表示の情報表示用パネルを提供できる。
【００４１】
なお、前述した複数の実施例で、セル７を埋める接着剤１９として、パネル基板の貼合わせに用いる接着剤９を共通の接着剤としてもよい。この場合には１回の接着剤配置工程で、エリア境界ライン２３の形成のためセル７内に接着剤１９を充填する作業と、各隔壁４上にパネル基板の貼り付け用の接着剤９を配置する作業とを同時に実行することができるので製造効率を高めることができる。
更に、図６、図７などで示した情報表示用パネルの場合には、セル７内の接着剤１９が硬化したときに、空間を埋める補強構造体としても機能する。よって、強度を向上させた情報表示用パネルとすることができる。
【００４２】
前述した本発明に係る情報表示用パネルについて、採用できる構成を更に説明する。
パネル基板１、２間に設ける隔壁４には、パネル基板間ギャップ確保機能を担う隔壁と、表示媒体とする粒子群がパネル基板と平行な方向に移動することを抑制する機能を担う隔壁とがあり、パネル基板間ギャップ確保用隔壁の幅は、２０μｍ〜１００μｍの範囲が好ましく、セル形成専用隔壁の幅は、５μｍ〜３０μｍの範囲で、できるだけ細くすることが好ましい。また、セル形成専用隔壁はパネル基板間ギャップ確保用隔壁の高さより低くしてもよく、表示媒体とする粒子群がパネル基板と平行な方向に移動することを抑制する機能を損なわない範囲とする。さらにまた、セル形成専用隔壁は双方のパネル基板の対向位置に形成し、パネル基板を貼り合わせたときに対向する構成としてもよく、この場合、対向部分を接合してもよいし接合しなくてもよい。
【００４３】
隔壁で囲んで形成するセルの形状は画素形状および画素配置に合わせた四角形（角丸付き四角形を含む）が好ましいが、四角形を組み合せた階段型八角形や階段型六角形とすることも好ましい。表示エリア境界に形成するエリア境界ラインの形状に合わせてセルを配置できるように隔壁を形成する。表示パネルに電極対を形成して画素とする場合にはこの画素をドットマトリックス状に配置することによってドットマトリックス表示を行うことができる。セルは中に収納する表示媒体として構成した粒子群を移動しやすくできる点から曲線を有するセル形状が好ましく、角丸付きの四角形、角丸付きの階段型八角形、丸付きの階段型六角形が好ましく用いられる。
【００４４】
基板間ギャップ確保用として設ける隔壁や、基板間ギャップ確保と異なる表示カラーを行うエリア境界に設ける隔壁およびセル形成専用の隔壁の形成材料としては、ドライフィルムレジスト材を好適に用いることができる。一例として、アルフォＮＩＴ２（ニチゴーモートン社製）やＰＤＦ３００（新日鐵化学社製）を採用することができる。
【００４５】
隔壁４の形成については、例えば形成したい隔壁部分の高さに合わせた厚みのドライフィルムレジスト材をパネル基板に積層し、所定形状のフォトマスクを用いてフォトリソグラフィ（Photolithography）法によってパターニングする。パネル基板間ギャップ確保用の隔壁部分の幅および表示エリアの境界となるエリア境界ラインに含まれる隔壁部分の幅は、２０μｍ〜１００μｍの範囲とし、セル形成専用の隔壁部分の幅は、５μｍ〜３０μｍの範囲とし、セル形成専用の隔壁部分の幅を、パネル基板間ギャップ確保用の隔壁部分の幅よりも小さくする。
【００４６】
表示エリアの境界となるエリア境界ラインに含まれる部分には、セル形成およびパネル基板間ギャップ確保の両機能を担う隔壁として境界隔壁を形成し、各表示エリアの内側には、セル形成およびパネル基板間ギャップ確保の両機能を担う隔壁並びにセル形成用隔壁を形成すると共に、前記各隔壁の幅の関係が、（セル形成およびパネル基板間ギャップ確保の両機能を担う隔壁の幅）＞（セル形成用隔壁の幅）、とするのが好ましい。これにより、エリア境界ラインを構成する隔壁の幅が最も太くなり、表示エリアの境界が明確になるとともに、パネル基板との貼り合わせに用いる接着剤を幅広く配置してしっかりと接合できるようにもなる。
【００４７】
また、各表示エリアの内側に配置するセル形成とパネル基板間ギャップ確保との両機能を担う隔壁の幅を、２０μｍ〜１００μｍの範囲とし、各表示エリアの内側に配置するセル形成用隔壁の幅を５μｍ〜３０μｍの範囲とすることも好ましい。
隔壁は非表示部分となるから隔壁の幅はできるだけ狭くしたいが、パネル基板間ギャップを確保するためには基板を支えるだけの強度が必要であり、それに応えるのが前記範囲となる。セル形成用隔壁は基板を支える必要がないので、細くすることができ、実際に作製できる幅の範囲が前記範囲となる。
【００４８】
隔壁については、その形状は表示にかかわる表示媒体の種類や、配置する電極の形状、配置により適宜最適設定され、一概には限定されないが、通常の隔壁の幅は２〜１００μｍ、好ましくは３〜５０μｍに、隔壁の高さは１０〜５００μｍ、好ましくは１０〜２００μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も用いられる。
【００４９】
前述したようにパネル基板１、２に電極などの導電膜を配置する場合の導電膜材料としては、観察側となる透明基板２側の情報表示画像領域には、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類を用いる。透明であることを要しない情報表示画面領域以外や背面側基板１に設ける導電膜材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金を用いる。
導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側の情報表示画面領域に設ける導電膜の厚みは、導電性が確保でき光透過性に支障がなければ良く、０．０１〜１０μｍが好ましく、０．０５〜５μｍがより好ましい。また、情報表示画面領域以外および背面側パネル基板に設ける導電膜の厚みは、導電性が確保できれば良く、０．０１〜１０μｍの範囲で設ける。
【００５０】
観測側の情報表示画面領域に設ける導電膜として好適なＩＴＯ等の金属酸化物材料は、金属材料に比べて可とう性が小さい。観察側の情報表示画面領域に設ける導電膜をライン状電極にする場合には、透明導電膜材中での断線防止のため、金属細線と併用することが好ましい。この金属細線の幅は、１μｍ〜１０μｍとすれば表示視認性の妨げとならないので好ましい。情報表示画面領域以外や背面側パネル基板に設ける導電膜をライン状とする場合は光透過性を考慮する必要がないので電気抵抗が小さく、可とう性にも優れた前記金属材料が好適に用いられる。
【００５１】
更に、図を参照して情報表示用パネルの製造工程について説明する。図１２はマスクＭＳを用いて粒子群を充填する様子を示している。マスクＭＳのマスク部ＭＳａのエッジＥＧを表示エリアのエリア境界に位置する隔壁４ｃ上に位置合わせるのは困難であり、また位置があっている場合でも粒子群が回り込む場合があり、図１２（ａ）、（ｂ）に示すように黒色粒子３Ｂａおよび赤色粒子３Ｒａが互いに境界４ｃを越えて充填されて混色が発生する場合がある。また、図１２（ｃ）、（ｄ）に示すようマスクＭＳのマスク部ＭＳａのエッジＥＧがずれるとエリア境界に位置する隔壁４ｃの前後のセル７で充填量が不足する場合がある。
【００５２】
図１３はマスクＭＳを用いて粒子を充填する際に、図１２で指摘した不都合を防止して、情報表示用パネルを効率良く製造する工程を示した図である。表示エリアに対応した遮蔽部ＭＳａと開口部ＭＳｂとを有するマスクＭＳを準備する。このマスクＭＳを、表示媒体とする粒子群ごとに順次取り替えて、パネル基板に形成された隔壁４上に接するように載せて、そのマスクの上方から充填したい、表示媒体とする粒子群を落下させ、パネル基板上のセル７内に、前記表示媒体とする粒子群を充填する。このときにマスクのエッジ部ＥＧが、前述したエリア境界ライン２３のライン幅内に存在するように調整して粒子群の充填する。一定の幅があるので、境界の隔壁４ｃに位置合わせする場合と比較して容易に操作できる。
【００５３】
このときに図１３（ａ）に示すように、境界ラインに位置する隔壁４ｃの前後で黒色粒子３Ｂａと赤色粒子２Ｒａが混色となる場合がある。しかし、その後に図１３（ｂ）で示すように隔壁４ｃの前後のセル７の少なくとも１つずつを絶縁性で有色の接着剤１９で充填する。そして、電極を備えた反対側のパネル基板２を接着して情報表示用パネルを製造する。接着剤１９の色により混色を打消すことになる。これにより、図１２で指摘した不都合を解消しエリア境界ラインが明瞭とした実施例の情報表示用パネルを製造できる。
【００５４】
また、図１４はマスクＭＳを用いて粒子を充填する際に、図１２で指摘した不都合を防止して、情報表示用パネルを効率良く製造する工程を示した図である。図１４（ａ）はマスクＭＳのエッジ部ＥＧが反対側に出すぎて充填量不足となる場合を示している。この場合にも図１４（ｂ）で示すように隔壁４ｃの前後のセル７の少なくとも１つずつを絶縁性で有色の接着剤１９で充填して不都合を解消し、エリア境界ラインが明瞭とした実施例の情報表示用パネルを製造できる。
【００５５】
更に、図１５（ａ）、（ｂ）も図１２で指摘した不都合を防止して、情報表示用パネルを効率良く製造する工程を示した図である。図１５の場合は、接着剤１９を充填する代わりに観察側のパネル基板２の内側、エリア境界ライン２３に対応する位置に絶縁有色ライン（有色で絶縁性の遮蔽膜）８を印刷等により形成してある。この場合にも隔壁４ｃの前後のセル７の少なくとも１つずつを絶縁性で有色の絶縁有色ライン８を配置して不都合を解消し、エリア境界ラインが明瞭とした実施例の情報表示用パネルを製造できる。
【００５６】
更に、図１６（ａ）、（ｂ）も図１２で指摘した不都合を防止して、情報表示用パネルを効率良く製造する工程を示した図である。図１５の場合は、接着剤１９を充填する代わりに観察側のパネル基板２の内側、エリア境界ライン２３に対応する位置に絶縁有色ライン（有色で絶縁性の遮蔽膜）８を印刷等により形成してある。この場合にも隔壁４ｃの前後のセル７の少なくとも１つずつを絶縁性で有色の絶縁有色ライン８を配置することにより不都合を解消し、エリア境界ラインが明瞭とした実施例の情報表示用パネルを製造できる。図１５はパッシブ駆動の情報表示用パネルであるが、この図１６の場合は図１６（ｂ）で示すように最後に貼り付ける背面側のパネル基板１にＴＦＴ付きの電極５が配置されておりアクティブ駆動の情報表示用パネルとしている。
【００５７】
ここまでは、表示エリア同士の境界に位置する隔壁４ｃに着目し、その前後のセルをすくなくとも１つ含む領域としてエリア境界ライン２３を考えていたが、これに限らない。表示エリア同士の境界に位置するセル１列とその両側の隔壁を含んだ領域をエリア境界ライン２３とし、このエリア境界ライン２３に絶縁性で有色のエリア境界を同様に設定してもよい。更に図１７〜図１９を参照して説明する。
【００５８】
図１７（ａ）（ｂ）はマスクＭＳを用いて、本発明を適用して粒子群を充填する方法示している。マスクＭＳのマスク部ＭＳａのエッジＥＧを表示エリアのエリア境界に位置する隔壁上に合わせて粒子を充填している。図１７（ａ）ではエリア境界ラインｎ含まれる隔壁４−１に黒色粒子群充填用マスクのマスクエッジＥＧを、隔壁４−１から隣のマスク開口部下のセル内にはみ出さないように配慮して黒色粒子群を充填した様子を示している。マスク部の下にある隔壁４−１内側のセル７ＢＬには、マスク部と隔壁４−１との隙間から回り込んだ粒子が充填されてしまうことがあるが、セル７ＢＬと隣接するマスク開口部下にあるセルには所定量の粒子が充填される。次に、図１７（ｂ）に示すように、エリア境界ラインに含まれる隔壁４−２に赤色粒子群充填用マスクのマスクエッジＥＧを、隔壁４−２から隣のマスク開口部下のセル内にはみ出さないように配置して赤色粒子群を充填した様子を示している。マスク部の下にある隔壁４−２内側のセル７ＢＬには、マスク部との隔壁４−２との隙間から回り込んだ粒子が充填去れてしまうことがあるが、セル７ＢＬと隣接するマスク開口部下にあるセルには所定量の粒子が充填される。
図１７（ｃ）、（ｄ）はマスクＭＳを用いて、本発明を適用して粒子群を充填する方法を示している。マスクＭＳのマスク部ＭＳａのエッジＥＧを表示エリアのエリア境界に位置するセルに合わせて粒子を充填している。図１７（ｃ）ではエリア境界ラインに含まれる隔壁４−１と隔壁４−２との間に黒色粒子群充填用マスクのマスクエッジＥＧを配置して黒色粒子群を充填した様子を示している。マスクエッジＥＧの下にあるセル７ＢＬには、所定量の粒子が充填されず粒子が不足するが、セル７ＢＬと隣接するマスク部下にある隔壁４−２と接するセルには配置したくない黒色粒子は充填されない。次に、図１７（ｄ）に示すように、エリア境界ラインに含まれる隔壁４−１と隔壁４−２との間に赤色粒子群充填用マスクのマスクエッジＥＧを配置して赤色粒子群を充填した様子を示している。マスクエッジＥＧの下にあるセル７ＢＬには、すでに黒色粒子が充填されており、また、赤色粒子群は所定量充填されず粒子が不足するが、セル７ＢＬと隣接するマスク部下にある隔壁４−１と接するセルには配置したくない赤色粒子は充填されない。
【００５９】
図１８（ａ）には、上記図１７で示した粒子群の充填方法によって準備した、セル７ＢＬに黒色粒子と赤色粒子とが混色した状態のものを示している。セル７ＢＬとその両側の隔壁４−１および隔壁４−２を含めた幅がエリア境界ラインを形成する。図１８（ｂ）には、図１８（ａ）の状態から白色粒子群を充填した後のものとした後、セル７ＢＬに絶縁性で有色の接着剤１９を充填し、隔壁４−１、隔壁４−２以外の隔壁上に接着剤９配置した後、もう一方のパネル基板を貼り合せる様子を示している。充填した粒子が混色しているセル７ＢＬは絶縁性で有色の接着剤１９によって遮蔽され、観察側からは、セル７ＢＬ１列分の幅を持ったエリア境界ラインとして見えるので、エリア境界ラインを明瞭にした、混色等の問題を発生させない情報表示用パネルを効率よく製造できる。
【００６０】
図１９（ａ）には、上記図１７に示した粒子群の充填方法によって準備した、セル７ＢＬに黒色粒子と赤色粒子とが混色した状態のものを示している。セル７ＢＬとその両側の隔壁４−１および隔壁４−２を含めた幅がエリア境界ラインを形成する。図１９（ｂ）には、図１９（ａ）の状態から白色粒子群を充填した後のものとした後、隔壁４−１、隔壁４−２および他の隔壁上に接着剤９を配置した後、もう一方のパネル基板を貼り合せる様子を示している。ここでは観察側となるパネル基板２において、エリア境界ライン２３となる位置に絶縁有色ライン８を印刷等により形成しておき、その上に隔壁を形成した観察側パネル基板２に対して粒子群を充填している。この方法では、接着剤によるパネル基板と隔壁との接合部分が背面側に配置され、観察時に不均質になりがちな接合部が見えないので好ましい。充填した粒子が混色しているセル７ＢＬおよびその両側の隔壁４−１、４−２の位置には絶縁性有色ライン８が形成されており、絶縁性有色ライン８によって遮蔽され、観察側からは、セル７ＢＬ１列分の幅を持ったエリア境界ラインとして見えるので、エリア境界ラインを明瞭にした、混色等の問題を発生させない情報表示用パネルを効率よく製造できる。
【００６１】
上記のように、本発明による製造法では、マスクＭＳをパネル基板上の隔壁に載せるとき、当該マスクＭＳのマスク部ＭＳａと開口部ＭＳｂとの境界エッジ部ＥＧが、エリア境界ラインのライン幅内に存在するように調整して粒子群の充填する。これにより粒子の混色や充填不足などの問題が発生する領域を限定しておき、これに対応する領域の基板内に絶縁性で有色の接着剤や膜を設ける。このように製造すれば、粒子の混色や充填不足を発生させるセルをエリア境界ライン２３内に限定し、表示エリア内では上記不都合による問題を発生させない、情報表示用パネルを効率良く製造できる。
【００６２】
＜本発明の情報表示用パネルの各部材について＞
以下、本発明の情報表示用パネルを構成する各部材について説明する。
前述した基板１、２としては、少なくとも一方の基板はパネル外側から表示媒体が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の有機高分子系基板や、ガラスシート、石英シート、金属シート等を用い、観察側にはこのうち透明なものを用いる。基板の厚みは、２〜２０００μｍが好ましく、さらに５〜１０００μｍが好適であり、薄すぎると、強度、基板間の間隔均一性を保ち難くなり、２０００μｍより厚いと、薄型の情報表示用パネルとする場合に不都合がある。
【００６３】
次に、本発明の情報表示用パネルに用いる粒子群として構成する表示媒体について説明する。表示媒体は、帯電性粒子だけで構成したり、その他の粒子と合わせて構成したりして用いられる。帯電性粒子には、その主成分となる樹脂に、必要に応じて、荷電制御剤、着色剤、無機添加剤等を含ますことができる。以下に、樹脂、荷電制御剤、着色剤、その他添加剤を例示する。
【００６４】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００６５】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００６６】
着色剤としては、以下に例示するような、有機または無機の各種、各色の顔料、染料が使用可能である。
【００６７】
黒色着色剤としては、カーボンブラック、酸化銅、二酸化マンガン、アニリンブラック、活性炭等がある。青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００６８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００６９】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００７０】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の帯電性粒子を作製できる。
【００７１】
また、帯電性粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００７２】
さらに、粒子群の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、表示媒体を構成する粒子のサイズが揃い、均一な表示媒体としての移動が可能となる。
【００７３】
さらにまた、複数の粒子群を使用する場合には、使用した粒子群の内、最大の平均粒子径d(0.5)を示す粒子群のd(0.5)に対する、最小の平均粒子径d(0.5)を示す粒子群のd(0.5)の比を１０以下とすることが肝要である。たとえ粒子径分布Spanを小さくしたとしても、互いに特性の異なる粒子群が互いに反対方向に動くので、互いの粒子サイズが近い方が容易に移動できるようになるので好適であり、それがこの範囲となる。
【００７４】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。ここで、粒子径および粒子径分布は、体積基準分布から得られたものである。具体的には、Mastersizer2000(Malvern Instruments Ltd.)測定機を用いて、窒素気流中に粒子群を投入し、付属の解析ソフト（Mie理論を用いた体積基準分布を基本としたソフト）にて、粒子径および粒子径分布の測定を行うことができる。
【００７５】
さらに、表示媒体とする粒子群を気体中空間で駆動させる方式とする場合には、パネル基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）、図２（ａ）、（ｂ）等において、対向する基板１、基板２に挟まれる部分から、電極５、６（電極を基板の内側に設けた場合）、表示媒体の占有部分、隔壁４の占有部分、パネル基板間のシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるようにパネル基板間に封入することが必要であり、例えば、表示媒体の充填、パネルの組み立てなどを所定湿度環境下にて行い、さらに、外からの湿度侵入を防ぐシール剤、シール方法を施すことが肝要である。
【００７６】
本発明の対象とする情報表示用パネルの基板と基板との間隔は、表示媒体が駆動できて、コントラストを維持できればよいが、通常１０〜５００μｍ、好ましくは１０〜２００μｍに調整される。
情報表示用パネルを帯電粒子気体中空間移動方式とする場合は、基板と基板との間隔は１０〜１００μｍ、好ましくは１０〜５０μｍの範囲で調整される。さらに、基板間の気体中空間における表示媒体の体積占有率は５〜７０％が好ましく、さらに好ましくは５〜６０％である。７０％を超える場合には表示媒体としての粒子の移動に支障をきたし、５％未満の場合にはコントラストが不明確となり易い。
【産業上の利用可能性】
【００７７】
本発明の情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（外部電界形成手段を用いて書換えできる）としても好適に用いられる。
【００７８】
なお、上述した情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式が適用できる。
【符号の説明】
【００７９】
１、２                        パネル基板
３Ｗ                          白色表示媒体
３Ｗａ                        負帯電性白色粒子
３Ｂ                          黒色表示媒体
３Ｂａ                        正帯電性黒色粒子
３Ｒ                          赤色表示媒体
３Ｒａ                        正帯電性赤色粒子
４                            隔壁
４ｃ                          表示エリア同士の境界に位置する隔壁
４−１、４−２                表示エリア同士の境界に位置するセルの両側の隔壁
５、６                        電極（導電膜）
７                            セル
７ＢＬ                        表示エリア同士の境界に位置するセル
２１                          情報表示用パネル
２２Ｗ                        白色粒子群（白色表示媒体）
２２Ｂ                        黒色粒子群（黒色表示媒体）
２２Ｒ                        赤色粒子群（赤色表示媒体）
２２ＲＷ                      赤白表示エリア
２２ＢＷ                      黒白表示エリア
２３                          エリア境界ライン
２３Ｗ                        幅
【図１】
2010204481.tif 000003
【図２】
2010204481.tif 000004
【図３】
2010204481.tif 000005
【図４】
2010204481.tif 000006
【図５】
2010204481.tif 000007
【図６】
2010204481.tif 000008
【図７】
2010204481.tif 000009
【図８】
2010204481.tif 000010
【図９】
2010204481.tif 000011
【図１０】
2010204481.tif 000012
【図１１】
2010204481.tif 000013
【図１２】
2010204481.tif 000014
【図１３】
2010204481.tif 000015
【図１４】
2010204481.tif 000016
【図１５】
2010204481.tif 000017
【図１６】
2010204481.tif 000018
【図１７】
2010204481.tif 000019
【図１８】
2010204481.tif 000020
【図１９】
2010204481.tif 000021
【図２０】
2010204481.tif 000022
【図２１】
2010204481.tif 000023
【図２２】
2010204481.tif 000024